(57)【要約】【課題】確実に接続できるとともに、使い勝手が良くシンプルな構成の画像表示システム、および当該画像表示システムの画像表示装置と、携帯端末装置、並びに画像表示システムにおける接続確立方法を提供すること。【解決手段】プロジェクタ５０は、無線ＬＡＮにおいて当該プロジェクタにアクセスするのに必要な接続情報を２次元コード化した接続情報コード２５を生成し、当該接続情報コードを投射する。また、携帯電話８０は、撮像部８４により接続情報コード２５を撮像すると、撮像した接続情報コード２５を含む画像を解析し、接続情報を抽出する。そして抽出された接続情報を無線ＬＡＮに対応した無線端末装置であるＭｂ通信部８５に設定してプロジェクタ５０にアクセスする。【選択図】図１
2007312179.tif 000002
【特許請求の範囲】
【請求項１】
画像を形成する画像表示装置と、所定のネットワークを介して前記画像表示装置に画像情報を供給する携帯端末装置と、からなる画像表示システムであって、
前記画像表示装置は、前記所定のネットワークにおける前記画像表示装置に接続するための接続情報を記憶する記憶手段と、
前記接続情報を内包した符号である接続情報コードを生成する符号化手段と、
前記接続情報コードもしくは前記接続情報コードを含んだ画像を表示する表示手段と、を有し、
前記携帯端末装置は、表示された前記接続情報コードもしくは前記接続情報コードを含んだ画像から前記接続情報コードを取得するコード取得手段と、
取得した前記接続情報コードから前記接続情報を解析するコード解析手段と、
解析された前記接続情報に基づいて、前記画像表示装置とネットワーク接続を確立するするネットワーク接続確立手段と、を有することを特徴とする画像表示システム。
【請求項２】
前記所定のネットワークは、有線および／または無線ＬＡＮ（Local Area Network）、Ｂｌｕｅｔｏｏｔｈ（登録商標）、ワイヤレスＵＳＢのいずれかであることを特徴とする請求項１に記載の画像表示システム。
【請求項３】
前記接続情報は、前記所定のネットワークにおける前記画像表示装置が属するネットワーク名またはグループ名を含む複数の識別子および／またはパスワードを含んでいることを特徴とする請求項１または２に記載の画像表示システム。
【請求項４】
前記接続情報コードは、２次元コード、または３次元コードであることを特徴とする請求項１〜３のいずれか一項に記載の画像表示システム。
【請求項５】
前記コード取得手段は、撮像部であり、前記表示手段にて表示された前記接続情報コードもしくは前記接続情報コードを含んだ画像から、前記接続情報コードを遠隔撮像により取得することを特徴とする請求項１〜４のいずれか一項に記載の画像表示システム。
【請求項６】
前記画像表示装置は、ネットワーク接続を確立する際に相手側機器を認証するためのパスワードを生成するパスワード生成手段を更に有していることを特徴とする請求項１〜５のいずれか一項に記載の画像表示システム。
【請求項７】
前記パスワード生成手段は、ネットワーク接続を確立する都度、新たな前記パスワードを生成することを特徴とする請求項６に記載の画像表示システム。
【請求項８】
画像を形成する画像表示装置と、所定のネットワークを介して前記画像表示装置に画像情報を供給する携帯端末装置と、から構成される画像表示システムの前記画像表示装置であって、
所定のネットワークにおいて前記画像表示装置に接続するための接続情報を記憶する記憶手段と、
前記接続情報を内包した符号である接続情報コードを生成する符号化手段と、
前記接続情報コードもしくは前記接続情報コードを表示する表示手段と、を有し、
前記携帯端末装置とネットワーク接続を確立するに先立って、前記接続情報コードもしくは前記接続情報コードを含んだ画像を表示することを特徴とする画像表示装置。
【請求項９】
画像を形成する画像表示装置と、所定のネットワークを介して前記画像表示装置に画像情報を供給する携帯端末装置と、から構成される画像表示システムの前記携帯端末装置であって、
前記画像表示装置が形成する前記所定のネットワークにおける前記画像表示装置に接続するための接続情報を符号化した接続情報コードを含んだ画像から、前記接続情報コードを遠隔撮像するコード取得手段としての撮像部と、
撮像した前記接続情報コードから前記接続情報を解析するコード解析手段と、
解析された前記接続情報に基づいて、前記画像表示装置とネットワーク接続を確立するネットワーク接続確立手段と、を有することを特徴とする携帯端末装置。
【請求項１０】
画像を形成する画像表示装置と、所定のネットワークを介して前記画像表示装置に画像情報を供給する携帯端末装置とから構成される画像表示システムにおける前記画像表示装置と前記携帯端末装置との接続確立方法であって、
前記所定のネットワークへの接続を開始するための操作をトリガとして、前記画像表示装置が前記所定のネットワークにおける前記画像表示装置に接続するための接続情報を符号化した接続情報コードもしくは前記接続情報コードを含んだ画像を表示するステップと、
前記接続情報コードを、前記携帯端末装置が撮像するステップと、
撮像した前記接続情報コードを前記携帯端末装置が解析するステップと、
前記解析された接続情報を用いて、前記携帯端末装置が前記画像表示装置とネットワーク接続を確立するステップと、を含むことを特徴とする画像表示システムにおける接続確立方法。
【発明の詳細な説明】
【技術分野】
【０００１】
本発明は、画像を表示する画像表示装置と当該画像表示装置に画像情報を供給する携帯端末装置とから構成される画像表示システム、および当該画像表示システムにおける接続確立方法に関する。
【背景技術】
【０００２】
パーソナルコンピュータ（以降、「ＰＣ」という）やプロジェクタ、および大型テレビなどの普及に伴い、各種装置で拡大した画像を用いた会議が頻繁に行なわれるようになっている。このような会議は、企業などの会議室に備え付けられているプロジェクタもしくは大型テレビを用いることが多い。
特に、複数人が参加する会議は、プレゼンテーション（以降「プレゼン」という）する人が変わるたびに各人のＰＣにケーブルを接続しなおす必要があるなど作業が煩雑であることや、ケーブルなどの配線が床に散乱し見苦しいなどの理由から、配線が不要な無線ＬＡＮ（Local Area Network）に代表される無線通信により接続する方法が好まれている。無線ＬＡＮは、対応機器の低価格化、通信方式の標準化による接続性の向上、ＯＳ（Operating System）が無線ＬＡＮ機能を標準サポートしたことなどの影響により、企業や家庭に急速に普及している。
【０００３】
しかし、例えば会議室に持ち込んだノートＰＣのプレゼン資料を、無線ＬＡＮカードを搭載したプロジェクタにより投射するためには、無線ＬＡＮを介して当該プロジェクタに接続するために必要な接続情報をノートＰＣ側で設定（以降、「接続設定」という）する必要があった。接続情報は、プロジェクタのＩＰアドレスや、接続するアクセスポイント名を示すＥＳＳＩＤ（Extended Service Set Identifier）などの複数の識別子、および通信データの暗号化技術であるＷＥＰ（Wired Equivalent Privacy）におけるパスワードなどである。
接続設定を行うためには、あらかじめプロジェクタの接続情報を調べておかねばならず、また、接続情報を把握していたとしても、ネットワーク設定に関する知識がないと設定を行うことは困難であった。
また、昨今のＰＤＡ（Personal Digital Assistants）などの携帯端末装置の技術進化は目覚しいものがあり、撮像機能は無論のこと、無線ＬＡＮに接続するための無線ＬＡＮモジュールや、インターネット上の情報を表示するための専用ブラウザなどを搭載した携帯端末装置が多数発表されている。このため、携帯端末装置における画像情報を直接プロジェクタや大型テレビなどにて表示したいという要望もあった。
【０００４】
このような問題点を鑑み、一方の電子機器から他の電子機器に簡便にアクセスするための技術が特許文献１に開示されている。
特許文献１の図１４に示される画像表示システム１−３は、会議室に天吊りされたプロジェクタ１０−２と、当該プロジェクタへの接続情報を記憶したＩＤ情報部と、会議室内に持ち込まれた携帯端末装置５０などから構成されている。プロジェクタ１０−２および携帯端末装置５０は、それぞれが無線ＬＡＮに接続するための無線ＬＡＮカードや、無線ＬＡＮモジュール（いずれも図示せず）を内蔵している。
無線ＬＡＮにおけるプロジェクタ１０−２の接続情報は、例えば、ＲＦタグや、バーコードが印刷された印刷物であるＩＤ情報部に記憶され、プロジェクタ１０−２の本体や、または、図１４に示されるように当該プロジェクタ用のスクリーンＳＣ下側の隅などに取り付けられていた。
また、携帯端末装置５０には、ＲＦタグリーダや、バーコードリーダなどのＩＤ認識装置が内蔵されており、利用者により当該携帯電話がＩＤ情報部に近づけられると、当該ＩＤ情報部の接続情報を読み取り、当該接続情報を用いてネットワーク通信を確立していた。このようにして、携帯端末装置５０の画像情報をプロジェクタ１０−２に表示させていた。
【０００５】
【特許文献１】国際公開第ＷＯ２００３−０１５４５１号公報パンフレット
【発明の開示】
【発明が解決しようとする課題】
【０００６】
しかしながら、従来の画像表示システム１−３では、ネットワーク接続を自動化するために、ＩＤ情報部およびＩＤ認識装置といった専用の構成部位が必要であるという問題点があった。
また、ＩＤ情報部からの接続情報の読み取りには、携帯端末装置５０を当該ＩＤ情報部に近づける必要があるため、接続の都度、当該ＩＤ情報部が設置されている場所まで移動せねばならず、接続作業が煩わしかった。
さらに、プロジェクタ１０−２と、ＩＤ情報部とが別体に構成されているため、ＩＤ情報部を隣の会議室のスクリーンに取り付けてしまうなど、当該ＩＤ情報部の誤取り付けによる接続不能となる恐れがあった。
【０００７】
上記課題を解決するために、本発明では、確実に接続できるとともに、使い勝手が良くシンプルな構成の画像表示システムを提供すること、および当該画像表示システムの画像表示装置と、携帯端末装置、並びに画像表示システムにおける接続確立方法を提供することを目的とする。
【課題を解決するための手段】
【０００８】
上述した目的を達成するために、本発明の画像表示システムは、画像を形成する画像表示装置と、所定のネットワークを介して画像表示装置に画像情報を供給する携帯端末装置と、からなる画像表示システムであって、画像表示装置は、所定のネットワークにおける画像表示装置に接続するための接続情報を記憶する記憶手段と、接続情報を内包した符号である接続情報コードを生成する符号化手段と、接続情報コードもしくは接続情報コードを含んだ画像を表示する表示手段と、を有し、携帯端末装置は、表示された接続情報コードもしくは接続情報コードを含んだ画像から接続情報コードを取得するコード取得手段と、取得した接続情報コードから接続情報を解析するコード解析手段と、解析された接続情報に基づいて、画像表示装置とネットワーク接続を確立するするネットワーク接続確立手段と、を有することを特徴とする。
【０００９】
本構成によれば、画像表示装置は、接続情報を記憶するとともに、接続情報を内包した接続情報コードを生成して表示手段により表示する。なお、本発明における表示手段とは、液晶パネルや、プラズマディスプレイなどの直視型のディスプレイ、または、プロジェクタなどの投射画像を形成する画像表示装置における投射手段（投射レンズともいう）を指す。
よって、画像表示装置と、接続情報を記憶したＩＤ情報部とが別体に構成されていた従来の画像表示システムと異なり、本発明の画像表示システムにおける画像表示装置と、接続情報を内包した接続情報コードとは、常に対となっている。これにより、画像表示装置と、接続情報とが一致しないことに起因する接続不能の発生を防止することができることから、接続の確度を高めることができる。
【００１０】
また、携帯端末装置は、コード取得手段により接続情報コードを取得すると、取得した接続情報コードから接続情報を解析し、解析された接続情報に基づいて画像表示装置とネットワーク接続を確立する。さらに、コード取得手段は、例えば、携帯電話などの携帯端末装置に標準装備されている撮像部を利用することが可能である。
よって、接続を自動化するための専用の構成部位が必要であった従来の画像表示システムと異なり、本発明の画像表示システムは、ネットワーク設定に関する知識がなくてもコード取得手段およびコード解析手段により、容易にネットワーク接続を確立することができる。
従って、確実に接続できるとともに、使い勝手が良くシンプルな構成の画像表示システムを提供することができる。
【００１１】
本発明に係わる画像表示システムによれば、所定のネットワークは、有線および／または無線ＬＡＮ（Local Area Network）、Ｂｌｕｅｔｏｏｔｈ（登録商標）、ワイヤレスＵＳＢのいずれかであることが好ましい。
【００１２】
近年、有線および／または無線ＬＡＮ、Ｂｌｕｅｔｏｏｔｈ（登録商標）環境は生活環境に広く普及し、前記通信モジュールを標準搭載した携帯端末も、多くの機種が販売されている。また、まだ然程市場に浸透してはいないが、ワイヤレスＵＳＢの環境も徐々に整いつつある。
本構成によれば、画像表示システムは、有線および／または無線ＬＡＮ、Ｂｌｕｅｔｏｏｔｈ（登録商標）、ワイヤレスＵＳＢ環境において画像表示装置と、携帯端末装置との通信を実現する。
よって、普及率が高く対応装置が多いネットワーク環境を利用することから、簡便かつ安価に通信システムの構築を行うことができる。
従って、使い勝手が良くシンプルな構成の画像表示システムを提供することができる。
【００１３】
本発明に係わる画像表示システムによれば、接続情報は、所定のネットワークにおける画像表示装置が属するネットワーク名またはグループ名を含む複数の識別子および／またはパスワードを含んでいることが好ましい。
【００１４】
本構成によれば、接続情報は、画像表示装置が属するネットワーク名またはグループ名を含む複数の識別子および／またはパスワードを含んで構成されている。
従って、画像表示装置に接続する際に必要な情報をいろんな所から取得する必要がなく、使い勝手が良くシンプルな構成の画像表示システムを提供することができる。
【００１５】
本発明に係わる画像表示システムによれば、接続情報コードは、２次元コード、または３次元コードであることが好ましい。
【００１６】
この構成によれば、接続情報コードは、２次元コード、または３次元コードであることから、接続情報コードが画像表示装置により表示されても、人間が判読することはできない。
よって、仮に部外者である第３者に接続情報コードを見られてしまったとしても、人間が判読することができないことから、機密情報の漏洩を防止することができる。
従って、優れたセキュリティ性を有する画像表示システムを提供することができる。
【００１７】
本発明に係わる画像表示システムによれば、コード取得手段は、撮像部であり、表示手段にて表示された接続情報コードもしくは接続情報コードを含んだ画像から、接続情報コードを遠隔撮像により取得することが好ましい。
【００１８】
本構成によれば、画像表示装置が表示する画像は、携帯端末装置が有するコード取得手段である撮像部により遠隔撮像される。また、本発明の画像表示システムにおける画像表示装置は、例えば２８型以上の大画面テレビや、画像を拡大投射するプロジェクタなどを想定している。
このような画像表示装置が表示する画像は、画面サイズに応じて拡大されているため視認性が高く、離れた場所からも識別することが可能である。よって、携帯端末装置による撮像は、画像の中の接続情報コードを識別可能な距離から行うことができる。
よって、離れた場所からでも接続情報コードを取得することができることから、本発明の画像表示システムは、使い勝手が良い。
従って、使い勝手が良い画像表示システムを提供することができる。
【００１９】
本発明に係わる画像表示システムによれば、画像表示装置は、ネットワーク接続を確立する際に相手側機器を認証するためのパスワードを生成するパスワード生成手段を更に有していることいることが好ましい。
【００２０】
画像表示装置は、接続情報に基づきネットワーク接続を確立するが、接続情報にパスワードを含む必要がある場合がある。これは、内部の重要会議など秘密性の高い情報を画像表示装置で表示をする場合、部外者などの侵入を防ぎ、秘密情報の漏洩を防止するためにセキュリティを高める際に必要となる。
本構成によれば、画像表示装置は、ネットワーク接続を確立する際に相手側機器を認証するためのパスワードを生成するパスワード生成手段を更に有している。
よって、部外者の侵入をパスワードにより防止することができることから、画像表示システムのセキュリティを高めることができる。
従って、優れたセキュリティ性を有する画像表示システムを提供することができる。
【００２１】
本発明に係わる画像表示システムによれば、パスワード生成手段は、ネットワーク接続を確立する都度、新たな前記パスワードを生成することが好ましい。
【００２２】
本構成によれば、パスワード生成手段は、ネットワーク接続を確立する都度、新たなパスワードを生成することから、画像表示システムにおける無線通信のセキュリティをより高めることができる。
従って、優れたセキュリティ性を有する画像表示システムを提供することができきる。
【００２３】
上述した目的を達成するために、本発明の画像表示システムの画像表示装置は、画像を形成する画像表示装置と、所定のネットワークを介して画像表示装置に画像情報を供給する携帯端末装置と、から構成される画像表示システムの画像表示装置であって、所定のネットワークにおいて画像表示装置に接続するための接続情報を記憶する記憶手段と、接続情報を内包した符号である接続情報コードを生成する符号化手段と、接続情報コードもしくは接続情報コードを表示する表示手段と、を有し、携帯端末装置とネットワーク接続を確立するに先立って、接続情報コードもしくは接続情報コードを含んだ画像を表示することを特徴とする。
【００２４】
本構成によれば、画像表示装置は、ネットワーク接続を確立するに先立って、接続情報コードもしくは接続情報コードを含んだ画像を表示する。また、前述したように画像表示装置が形成する画像は、画面サイズに応じて拡大表示されているため視認性が高く、離れた場所からも識別することが可能である。
よって、携帯端末装置による撮像は、画像の中の接続情報コードを識別可能な距離から行えば良い。つまり、離れた場所からでも接続することができることから、使い勝手が良い。
また、無線通信環境は生活環境に広く普及しており、無線通信を標準搭載した携帯端末装置も、多くの機種が販売されている。
よって、普及率が高く対応装置が多いことから、無線通信に対応した画像表示システムを簡便かつ安価に構築することができる。
従って、使い勝手が良くシンプルな構成の画像表示システムの画像表示装置を提供することができる。
【００２５】
上述した目的を達成するために、本発明の画像表示システムの携帯端末装置は、画像を形成する画像表示装置と、所定のネットワークを介して画像表示装置に画像情報を供給する携帯端末装置と、から構成される画像表示システムの携帯端末装置であって、画像表示装置が形成する所定のネットワークにおける画像表示装置に接続するための接続情報を符号化した接続情報コードを含んだ画像から、接続情報コードを遠隔撮像するコード取得手段としての撮像部と、撮像した接続情報コードから接続情報を解析するコード解析手段と、解析された接続情報に基づいて、画像表示装置とネットワーク接続を確立するネットワーク接続確立手段と、を有することを特徴とする。
【００２６】
この構成によれば、携帯端末装置は、接続情報コードを含んだ画像を撮像部により撮像する。また、前述したように画像表示装置が形成する画像は、画面サイズに応じて拡大表示されているため視認性が高く、離れた場所からも識別することが可能である。
よって、携帯端末装置による撮像は、投射画像の中の接続情報コードを識別可能な距離から行えば良い。つまり、離れた場所からでも接続することができることから、使い勝手が良い。
また、無線通信環境は生活環境に広く普及しており、無線通信を標準搭載した携帯端末装置も、多くの機種が販売されている。
よって、普及率が高く対応装置が多いことから、無線通信に対応した画像表示システムを簡便かつ安価に構築することができる。
従って、使い勝手が良くシンプルな構成の画像表示システムの携帯端末装置を提供することができる。
【００２７】
上述した目的を達成するために、本発明の接続確立方法は、画像を形成する画像表示装置と、所定のネットワークを介して画像表示装置に画像情報を供給する携帯端末装置とから構成される画像表示システムにおける画像表示装置と携帯端末装置との接続確立方法であって、所定のネットワークへの接続を開始するための操作をトリガとして、画像表示装置が所定のネットワークにおける画像表示装置に接続するための接続情報を符号化した接続情報コードもしくは接続情報コードを含んだ画像を表示するステップと、接続情報コードを、携帯端末装置が撮像するステップと、撮像した接続情報コードを携帯端末装置が解析するステップと、解析された接続情報を用いて、携帯端末装置が画像表示装置とネットワーク接続を確立するステップと、を含むことを特徴とする。
【００２８】
この接続確立方法によれば、画像表示装置が接続情報を内包した接続情報コードを表示するステップを含むことから、画像表示装置と、接続情報コードとは、常に対となっている。
よって、画像表示装置と、接続情報とが一致しないことに起因する接続不能の発生を防止することができることから、接続の確度を高めることができる。
さらに、携帯端末装置が接続情報コードを含む表示画像を撮像するステップと、撮像した接続情報コードから接続情報を解析および取得するステップとを含むことから、携帯端末装置が接続情報コードを撮像可能な範囲内であれば、画像表示装置と、携帯端末装置とが離れていても、接続情報を取得することができる。よって、使い勝手が良い。
従って、確実に接続できるとともに、使い勝手が良い画像表示システムの接続確立方法を提供することができる。
【発明を実施するための最良の形態】
【００２９】
以下、本発明の実施形態を図面に基づいて説明する。
【００３０】
（実施形態１）
《第１の画像表示システムの概要》
図１は、本発明の実施形態１における画像表示システム１００の概略構成図である。ここでは、図１を用いて画像表示システム１００の概要について説明する。
画像表示システム１００は、画像表示装置としてのプロジェクタ５６と、携帯端末装置としての携帯電話８０とから構成されている。
プロジェクタ５６は、会議室などの天井に天吊りされており、壁面に設置されたスクリーンＳＣに画像を投射している。
プロジェクタ５６は、画像を投射する表示手段としての投射レンズ５３、および無線ＬＡＮに対応した無線端末装置である通信部６１などを含んで構成されている。
【００３１】
プロジェクタ５６は、無線ＬＡＮにおいて当該プロジェクタに接続するための接続情報を符号化した２次元コードである接続情報コード２５を含む画像を拡大投射している。
これは、プロジェクタ５６が起動した後、附属するリモコン（図示せず）に外部の携帯端末装置と接続するための操作がなされたため、符号化手段などを実現するための接続確立Ｐプログラムが実行されたことによる。
接続確立Ｐプログラムを含む接続確立プログラムは、画像表示システム１００におけるプロジェクタ５６と、携帯電話８０との接続を確立するためのプログラムであり、プロジェクタ５６にインストールされる接続確立Ｐプログラムと、携帯電話８０にインストールされる接続確立Ｍプログラムとから構成されている。
また、接続情報は、ＥＳＳＩＤ（Extended Service Set Identifier）などの複数の識別子を包括したものである。
【００３２】
携帯電話８０は、各種情報を表示する表示部８１、コード取得手段としての撮像部８４、ネットワーク接続確立手段としてのＭｂ通信部８５、複数の操作ボタンを備えたＭｂ操作部８８などを含んで構成されている。
Ｍｂ操作部８８に外部の画像表示装置と接続するための操作がなされると、携帯電話８０は、コード解析手段などを実現するための接続確立Ｍプログラムを実行する。
これにより、まず、携帯電話８０のＣＣＤカメラである撮像部８４が撮像モードとなる。投射されている接続情報コード２５を視認可能な場所にいる使用者により、当該接続情報コードが撮像されると、撮像された２次元コードを解析して接続情報を抽出し、さらに当該接続情報に基づいてＭｂ通信部８５によりプロジェクタ５６と接続する。なお、図１における接続態様は、無線ＬＡＮ環境下において電子機器同士がアクセスポイントを介さずに直接接続するアドホック（ad hoc）モードを示している。
画像表示システム１００によれば、このようにして、無線ＬＡＮにおけるプロジェクタ５６と、携帯電話８０との接続を確立する。
【００３３】
《プロジェクタおよび携帯電話の概略構成》
図２は、画像表示システムにおけるプロジェクタおよび携帯電話の概略構成図である。ここでは、図２を中心に適宜図１を交えてプロジェクタ５６および携帯電話８０の概略構成について説明する。
プロジェクタ５６は、いわゆる「液晶３板式プロジェクタ」であり、高圧水銀ランプや、メタルハライドランプなどの放電ランプを光源とする光源部５１が射出する光を、赤色光、青色光、緑色光ごとの３つの光変調装置である液晶ライトバルブ（図示せず）を備えた光学部５２により画像信号に応じて変調し、変調された画像を表す変調光を投射レンズ５３から拡大投射する。
プロジェクタ５６は、光源部５１、光学部５２、リモコン５４、操作受付け部５５、制御部５７、記憶手段としての記憶部５８、Ｉ／Ｏブリッジ部５９、スロット部６０、通信部６１、画像信号処理部６３、液晶パネル駆動部６４、ランプ駆動部６５、電源部６６などから構成されている。
【００３４】
光源部５１は、高圧水銀ランプや、メタルハライドランプなどの高輝度な放電ランプと、放電ランプが放射した光を集光し光学ユニット側に射出するリフレクタなどを含んで構成されている。
光学部５２は、光源部５１からの光を輝度分布の安定した光に変換するインテグレータ光学系と、光源部５１からの光を光の３原色である赤色、緑色、青色の各色光成分に分離して各色光用の液晶ライトバルブに供給する分離光学系と、当該各色光用液晶ライトバルブにて色光ごとの画像信号に応じて変調された各色光を、再度合成する合成光学系（いずれも図示せず）とを含んで構成されている。
投写レンズ５３は、広角ズームレンズであり、光学部５２から射出される変調光を拡大投写し、スクリーンＳＣにフルカラーの画像を写し出す。
【００３５】
リモコン５４は、プロジェクタ５６を遠隔操作するためのリモコンであり、複数の操作用ボタン（図示せず）を備えている。また、プロジェクタ５６の本体にも、複数の操作用ボタンを備えた操作部（図示せず）が設けられている。
操作受付け部５５は、リモコン５４からの赤外線信号を受信する受光回路などを備えた受信回路であり、リモコン５４からの操作がなされると、操作を受付け、制御部５７へ各種動作のトリガとなる操作信号を送る。操作信号には、プロジェクタ５６を起動するための起動信号などが含まれる。
制御部５７は、ＣＰＵ（Central Processing Unit）であり、各部とバスラインＢｕｓを介して信号のやり取りを行い、プロジェクタ５６の動作を制御する。
【００３６】
記憶部５８は、マスクＲＯＭや、フラッシュメモリ、ＦｅＲＡＭなどの不揮発性のメモリにより構成されている。記憶部５８には、プロジェクタ５６の動作を制御するための様々な制御プログラムや、ファームウエア、および付随するデータが記憶されている。
当該制御プログラムには、外部の携帯端末装置と接続するための処理の順序と内容を規定した接続確立Ｐプログラムが含まれている。接続確立Ｐプログラムは、接続情報を符号化するための符号化手段であるコード生成プログラムをサブルーチンとして内包している。
コード生成プログラムが生成するコードとしては、図１に示す接続情報コード２５であるＱＲコード（登録商標）（(株)デンソーウェーブ）などの２次元コードが好適である。また、２次元コードは、ＱＲコード（登録商標）以外のマトリックス型、または、バーコードを積み上げた形のスタック型などの２次元コードであっても良い。なお、２次元コードを時系列に変化させる３次元コードを用いても良い。なお、本実施形態においては、ＱＲコード（登録商標）を用いて説明する。
また、付随するデータには、無線ＬＡＮにおいてプロジェクタ５６に接続するための複数の識別子を包括した接続情報が含まれている。接続情報には、前述したＥＳＳＩＤに加えて、ＩＰアドレス、ＤＨＣＰ（Dynamic Host Configuration Protocol）を使うか否かの情報、アクセスモード、サブネットマスク、デフォルトゲートウェイ、および通信データを暗号化するＷＥＰ（Wired Equivalent Privacy）の識別子などが含まれている。
【００３７】
Ｉ／Ｏブリッジ部５９は、サウスブリッジであり、ＵＳＢコントローラ、およびＰＣＩ（Peripheral Component Interconnect）コントローラなどの各種デバイスコントローラを搭載している。
スロット部６０は、Ｉ／Ｏブリッジ部５９に接続するＰＣＩバス対応の拡張カードスロットである。スロット部６０には、通信部６１がセットされている。また、Ｉ／Ｏブリッジ部５９には、ＵＳＢポート（図示せず）も設けられている。
通信部６１は、無線ＬＡＮに対応した無線端末装置であり、具体的には、IEEE 802.11b（IEEE 802.11 High-Rate Direct Sequence），IEEE 802.11g，IEEE 802.11aなどの無線ＬＡＮ規格に対応した無線ＬＡＮカードである。なお、通信部６１は、無線ＬＡＮに接続可能な無線端末装置であれば良く、例えば、ＵＳＢポートにセットする無線ＬＡＮアダプタであっても良いし、プロジェクタ５６にあらかじめ内蔵されている無線ＬＡＮモジュールであっても良い。
【００３８】
画像信号処理部６３は、画像プロセッサであり、入力端子（図示せず）またはＩ／Ｏブリッジ部５９を介して供給される画像信号をプロジェクタ５６で投射するのに適した画像信号（情報）とするために当該画像信号にスケーリングなどの様々な画像処理を施す。
液晶パネル駆動部６４は、液晶ドライバであり、色光ごとの３つの液晶ライトバルブ（図示せず）に、それぞれ画像信号と駆動電圧などを供給し、各液晶ライトバルブに画像を写し出す。
ランプ駆動部６５は、光源部５１の点灯および消灯を制御する点灯制御回路であり、光源部５１を点灯させるために高電圧を発生して放電経路を形成するイグナイタ回路と、点灯後の安定した点灯状態を維持するためのバラスト回路（いずれも図示せず）とを含んで構成されている。
電源部６６は、外部電源１８０からの交流電力をプラグから導き、内蔵するＡＣ／ＤＣ変換部（いずれも図示せず）にて変圧、整流および平滑するなどの処理を施すことにより安定化させた直流電圧をプロジェクタ５６の各部に供給する。
【００３９】
続いて、携帯電話８０の概略構成について説明する。
携帯電話８０は、表示部８１、Ｍｂ電源部８２、ＭｂＩ／Ｏブリッジ部８３、撮像部８４、ネットワーク接続確立手段としてのＭｂ通信部８５、Ｍｂ制御部８６、Ｍｂ記憶部８７、Ｍｂ操作部８８、Ｍｂ操作受付け部８９などから構成されている。
表示部８１は、例えば、ＴＦＴ（Thin Film Transistor）駆動によるアクティブマトリクス駆動方式のカラー液晶パネルである。
Ｍｂ電源部８２は、例えば充電式のリチウムイオン電池であり、外部電源から供給された電力を蓄え、直流電圧をＭｂ電源部８２の各部に供給する。
【００４０】
ＭｂＩ／Ｏブリッジ部８３は、サウスブリッジであり、ＵＳＢコントローラなどの各種デバイスコントローラを搭載している。
撮像部８４は、撮像素子としてＣＣＤを備えた、ＣＣＤカメラである。なお、撮像素子は、撮像が可能な素子であれば良く、例えば、ＣＭＯＳイメージセンサであっても良い。
Ｍｂ通信部８５は、無線ＬＡＮに接続可能な無線端末装置であり、IEEE 802.11b，IEEE 802.11g，IEEE 802.11aなどの無線ＬＡＮ規格に対応している。なお、Ｍｂ通信部８５は、ＵＳＢポートにセットする無線ＬＡＮ端末装置である無線ＬＡＮアダプタであっても良い。
Ｍｂ制御部８６は、ＣＰＵであり、各部とバスラインＢｕｓを介して信号のやり取りを行い、携帯電話８０の動作を制御する。
【００４１】
Ｍｂ記憶部８７は、マスクＲＯＭや、フラッシュメモリ、ＦｅＲＡＭなどの不揮発性のメモリにより構成されている。Ｍｂ記憶部８７には、携帯電話８０の動作を制御するための様々な制御プログラムや、ファームウエア、および付随するデータが記憶されている。当該制御プログラムには、外部の画像表示装置と接続するための処理の順序と内容を規定した接続確立Ｍプログラムが含まれている。接続確立Ｍプログラムは、撮像部８４が撮像した画像に含まれる接続情報コードを解析し、接続情報を抽出するためのコード解析手段であるコード解析プログラムをサブルーチンとして内包している。なお、本実施形態におけるコード解析プログラムは、ＱＲコード（登録商標）解析プログラムである。
Ｍｂ操作部８８は、携帯電話８０を操作するための複数の操作ボタンを備えた操作パネルである。
Ｍｂ操作受付け部８９は、Ｍｂ操作部８８への操作がなされると、操作を受付け、Ｍｂ制御部８６に各種動作のトリガとなる操作信号を送る。
【００４２】
《接続処理の流れ》
図３は、実施形態１の画像表示システムにおけるプロジェクタと、携帯電話との接続処理の流れの一態様を示すフローチャートである。
図３の左側は、プロジェクタ５６の動作を示すフローチャート、右側はそれに対応する携帯電話８０の動作を示すフローチャートである。
ここでは、図１のように会議室に天吊りされているプロジェクタ５６と、当該会議室に持ち込まれた携帯電話８０との無線ＬＡＮにおける接続の流れを、図３を中心に、適宜図１、図２を交えて説明する。
【００４３】
まず、プロジェクタ５６のフローチャートから説明する。プロジェクタ５６は、リモコン５４に起動操作がなされたため起動し、初期化動作の後、待機状態となっている。
ステップＳ１では、制御部５７は、外部の携帯端末装置と接続を始めるための操作を待ち受ける。具体的には、リモコン５４に外部携帯端末装置と接続を開始するための操作がなされたことによる操作受付け部５５からの操作信号を待ち受ける。接続開始操作があった場合には、ステップＳ２へ進む。接続開始操作がなかった場合には、継続して待ち受ける。
ステップＳ２では、制御部５７は、記憶部５８から接続情報を読み出し通信部６１に設定する。ここでは、ステップＳ１における接続開始操作により接続確立Ｍプログラムが実行されたため、当該プログラムの最初の処理としてプロジェクタ５６が無線ＬＡＮ環境に入るための処理が行われる。なお、以降の各ステップは、当該プログラムにより実行される。なお、図１に示される無線ＬＡＮ環境における接続情報には、アクセスモードとしてアドホックモードを示す識別子が含まれている。
【００４４】
ステップＳ３では、制御部５７は、コード生成プログラムを実行し接続情報コードを生成する。なお、本実施形態にて生成される接続情報コードは、ＱＲコード（登録商標）である。
ステップＳ４では、制御部５７は、生成した接続情報コードを含む画像を画像処理部６３などにより生成し、接続待機画面として投射する。この状態が、図１のスクリーンＳＣに示されている。なお、接続情報コード２５は、ＱＲコード（登録商標）を構成する最小の単位である略正方形のセルを、投射画像の解像度を決定する液晶ライトバルブの１ピクセルとしたときの大きさを最小の大きさとし、それ以上の大きさで構成されることであれば良い。
また、投射画像の余白部分に投射画像の意味合いと、次の接続操作を促すための文字列を表示させても良い。文字列としては、「無線ＬＡＮで接続する場合には、ＱＲコード（登録商標）を撮影して下さい」などである。これによりユーザーインターフェイスを向上させることができる。
ステップＳ５では、制御部５７は、携帯電話８０からの無線ＬＡＮによる接続を要求するための接続要求コマンドを受信したかどうか確認する。受信した場合は、ステップＳ６へ進む。受信していない場合は、引き続き接続要求コマンドを待ち受ける。
【００４５】
ステップＳ６では、制御部５７は、通信部６１から接続を許可する接続応答コマンドを携帯電話８０に送信する。
ステップＳ７では、制御部５７は、接続が確立した携帯電話８０からの画像データを受信する。
ステップＳ８では、制御部５７は、受信した画像データを画像処理部６３などにより投射させる。
ステップＳ９では、制御部５７は、リモコン５４への接続の切断操作、または、携帯電話８０からの接続の切断要求があるか確認する。具体的には、操作受付け部５５から当該操作の操作信号、または、Ｉ／Ｏブリッジ部５９を介して送信されてくる切断要求コマンドを確認する。切断操作があった場合には、無線ＬＡＮへの接続を切断し待機状態に戻る。切断操作がない場合には、ステップＳ７へ戻る。
【００４６】
続いて、携帯電話８０のフローチャートについて説明する。
ステップＳ１１では、Ｍｂ制御部８６は、外部のプロジェクタと接続を始めるための操作を待ち受ける。具体的には、Ｍｂ操作受付け部８９から当該操作の操作信号を待ち受ける。接続開始操作があった場合には、ステップＳ１２へ進む。接続開始操作がなかった場合には、継続して待ち受ける。
なお、接続開始操作としては、例えば、携帯電話８０の操作メニューにおける操作階層で表すと、まず、「他機器との接続」メニューを選択し、表示されるＰＣ、プロジェクタ、およびデジタルテレビなどのアイコンの中から、「プロジェクタのアイコン」を選択するという操作を想定している。
この操作により、接続確立Ｍプログラムが実行される。なお、以降の各ステップは、当該プログラムにより実行される。
【００４７】
ステップＳ１２では、Ｍｂ制御部８６は、表示部８１を接続情報コード撮像画面とし、撮像部８４による撮像を促す。接続情報コード撮像画面は、例えば、図１における携帯電話８０の表示部８１に示される画面であり、上部に「バーコード読取り」という文字が表示され、その下には接続情報コード２５を撮像するための空きエリアが表示されている。当該空きエリアの四隅には、撮像される接続情報コード２５の大きさを定めるための「括弧」が表示されている。なお、撮像距離は、投射されている接続情報コード２５の大きさ、および撮像部８４の機能によって前後するが、概ね１ｍ以上を想定している。また、投射画面が５０インチ以上で当該画面の１／４程度の大きさに接続情報コード２５が表示されている場合や、撮像部８４がズーム機能を備えていた場合などは、１０ｍ以上の更なる遠隔地からの撮像も可能である。
ステップＳ１３では、Ｍｂ制御部８６は、接続情報コードの撮像操作が行われたか確認する。撮像操作があった場合には、ステップＳ１４へ進む。撮像操作がなかった場合には、引き続き撮像操作を待ち受ける。
ステップＳ１４では、Ｍｂ制御部８６は、コード解析プログラムを実行し、撮像画像に含まれる接続情報コードの解析を行う。
【００４８】
ステップＳ１５では、Ｍｂ制御部８６は、接続情報コードの解析により、接続情報が抽出されたか確認する。接続情報が抽出された場合は、ステップＳ１６へ進む。接続情報が抽出されなかった場合は、ステップＳ２１へ進む。
ステップＳ１６では、Ｍｂ制御部８６は、抽出された接続情報をＭｂ通信部８５に設定する。なお、この段階で、例えば、図４における携帯電話８０の表示部８１に示される画面のように、「読取り成功」、「接続中…」というような動作経過表示を表示させても良い。これによりユーザーインターフェイスを向上させることができる。また、表示部８１の画面中の「括弧」には、好適に撮像された場合の接続情報コード２５が表示されている。このように、「括弧」内に略いっぱいになるように接続情報コード２５を撮像することにより、接続情報の抽出確度を向上させることができる。
ステップＳ１７では、Ｍｂ制御部８６は、無線ＬＡＮによる接続を要求する接続要求コマンドをプロジェクタ５６に送信する。
ステップＳ１８では、Ｍｂ制御部８６は、プロジェクタ５６からの接続を許可する接続応答コマンドを受信したかどうか確認する。受信した場合は、ステップＳ１９へ進む。受信していない場合は、引き続き接続応答コマンドを待ち受ける。なお、図１の場合、接続応答コマンドを受信したタイミングにて、アドホックモードによる接続が確立される。
【００４９】
ステップＳ１９では、Ｍｂ制御部８６は、画像データをＭｂ通信部８５からプロジェクタ５６に送信する。
ステップＳ２０では、Ｍｂ制御部８６は、Ｍｂ操作部８８への接続の切断操作があったか確認する。切断操作があった場合には、無線ＬＡＮへの接続を切断し待機状態に戻る。切断操作がない場合には、ステップＳ１９へ戻る。
続いて、ステップＳ１５において接続情報が抽出できなかった場合について説明する。
ステップＳ２１では、Ｍｂ制御部８６は、表示部８１に一定時間読取りを失敗した旨表示し、ステップＳ１２へ戻る。読取りを失敗した旨の表示は、例えば、「読取り失敗」、「もう一回撮像」など、再度撮像が必要であることを理解させる表示であれば良い。
また、上記各ステップにおいて、リセット操作などの処理を中断するための操作がなされたときには、プロジェクタ５６および携帯電話８０は、それぞれ如何なるタイミングであっても当該操作を受け付ける。
【００５０】
《異なる接続態様》
図４は、前記説明した接続態様とは異なる接続態様の無線ＬＡＮ環境下における画像表示システム１００の概略構成図である。
図４における無線ＬＡＮ環境は、無線ＬＡＮにおけるアクセスポイントであるルータ７０により提供されている。ルータ７０は、有線ケーブル７１により社内ＰＣネットワークなどの特定のＬＡＮに常時接続している。
当該環境下に設置された画像表示システム１００のプロジェクタ５６、および携帯電話８０のハード構成は、図２に示す通りである。また、ソフトウエアも、プロジェクタ５６には接続確立Ｐプログラムが、携帯電話８０には接続確立Ｍプログラムがそれぞれインストールされている。
唯一の相違点は、プロジェクタ５６が記憶している接続情報におけるアクセスモードの識別子が所定のアクセスポイントを経由して通信を行うインフラストラクチャー（infrastructure）モードとなっていることである。
【００５１】
図４の無線ＬＡＮ環境下において、図３の接続処理がなされた場合、プロジェクタ５６と、携帯電話８０とは、ルータ７０を介して無線ＬＡＮによる接続を確立する。
なお、図４において、ルータ７０と、プロジェクタ５６との間は、無線により接続されているが、当該間は、有線ケーブルにより常時接続されている構成であっても良い。また、プロジェクタ５６が、ルータ７０を経由しない前記特定のＬＡＮからの有線ケーブルによりダイレクトに当該ＬＡＮに接続する構成であっても良い。
これらの構成であっても、図３に示す接続処理により、プロジェクタ５６と、携帯電話８０との接続を確立することができる。
【００５２】
上述した通り、本実施形態によれば以下の効果が得られる。
（１）プロジェクタ５６は、記憶部５８に接続情報を記憶するとともに、接続情報を内包した接続情報コードを生成して投射レンズ５３から投射する。
よって、本発明の画像表示システム１００におけるプロジェクタ５６と、接続情報を内包した接続情報コードとは、常に対となっている。これにより、プロジェクタ５６と、接続情報とが一致しないことに起因する接続不能の発生を防止することができることから、接続の確度を高めることができる。
また、携帯電話８０は、撮像部８４により接続情報コードを撮像すると、撮像した接続情報コードを含む画像を解析し、接続情報を抽出する。そして抽出された接続情報をＭｂ通信部８５に設定してプロジェクタ５６にアクセスする。
前述した通り、一般的な携帯電話の構成には、撮像部が含まれていることから、既存の構成部位である当該撮像部によりコード取得手段を実現することができる。よって、携帯電話８０に特別なハード構成を必要としない。
さらに、プロジェクタ５６と、携帯電話８０とが離れていても、撮像部８４が接続情報コードを撮像可能なエリア内であれば、その場で移動することなく接続を確立することができることから、使い勝手が良い。
従って、確実に接続できるとともに、使い勝手が良くシンプルな構成の画像表示システム１００を提供することができる。
【００５３】
（２）画像表示システム１００は、普及したネットワーク技術である無線ＬＡＮ環境においてプロジェクタ５６と、携帯電話８０との通信を実現している。
よって、普及率が高く対応装置が多い無線ＬＡＮ環境において、簡便かつ安価にシステムを構築することができる。
さらに、標準構成として無線ＬＡＮカードを装備しているプロジェクタ、および標準構成として無線ＬＡＮモジュールを搭載している携帯電話などを、そのままの構成で活用することができる。
従って、使い勝手が良くシンプルな構成の画像表示システム１００を提供することができる。
【００５４】
（３）接続情報コードは、接続情報を符号化した２次元コード、または３次元コードであることから、接続情報コードがプロジェクタ５６により投射表示されても、人間が判読することはできない。
よって、例えば、会議に同席した第３者に接続情報を知られてしまうというような、情報の漏洩を防止することができる。
従って、接続情報の漏洩を防止することができる画像表示システム１００を提供することができる。
【００５５】
（４）符号化手段は、プロジェクタ５６が実行する２次元コード、または３次元コードを生成するためのコード生成プログラムおよび当該プログラムを内包した接続確立Ｐプログラムにより実現されることから、プロジェクタ５６は、２次元コード、または３次元コード生成のための専用のハードウエア構成を必要としない。
また、同様に、符号解析手段は、携帯電話８０が実行する２次元コード、または３次元コードを解析するためのコード解析プログラムおよび当該プログラムを内包した接続確立Ｍプログラムにより実現されることから、携帯電話８０は、２次元コード、または３次元コード生成のための専用のハードウエア構成を必要としない。
従って、シンプルな構成の画像表示システムを提供することができる。
【００５６】
（５）画像表示システム１００は、プロジェクタ５６と、携帯電話８０とから構成される。プロジェクタ５６が投射する画像は、拡大されているため視認性が高いことから、携帯電話８０が離れた場所に位置していたとしても、投射画像の中の接続情報コードを撮像可能な距離であれば、支障なく撮像することができる。
よって、離れた場所からでも接続情報コードを取得することができることから、画像表示システム１００は、使い勝手が良い。
従って、使い勝手が良い画像表示システムを提供することができる。
【００５７】
（６）アクセスモードの識別子などの接続情報を画像システム１００が用いられる無線ＬＡＮ環境に合わせた設定とすることにより、アドホック、または、インフラストラクチャーのいずれの接続モードにおいてもプロジェクタ５６と、携帯電話８０との接続を確立することができる。
よって、画像システム１００は、使用環境を選ばないことから、使い勝手が良い。
従って、確実に接続できるとともに、使い勝手が良い画像表示システムを提供することができる。
【００５８】
（実施形態２）
《第２の画像表示システムの概要》
図５は、本発明の実施形態２における画像表示システム２００の概略構成図である。ここでは、図５および図１を用いて画像表示システム２００の概要について説明する。
画像表示システム２００は、画像表示装置としてのプロジェクタ１５０と、携帯端末装置としての携帯電話１８０とから構成されている。
実施形態１の画像システム１００（図１）と、画像システム２００との相違点は、画像システム１００は所定のネットワークとしての無線ＬＡＮにおいてプロジェクタ５６と、携帯電話８０とが接続を確立するのに対して、画像システム２００では、プロジェクタ１５０と、携帯電話１８０とが所定のネットワークとしてのワイヤレスＵＳＢにより接続を確立することである。ワイヤレスＵＳＢは、有線ケーブルによる伝送路の規格であるＵＳＢ（Universal Serial Bus）をワイヤレス化したワイヤレスＵＳＢ規格（Certified Wireless USBなど）に準拠した無線通信技術である。
画像システム２００は、ワイヤレスＵＳＢにより無線通信するための構成を備えている。なお、ワイヤレスＵＳＢの場合、初期設定として双方のワイヤレスＵＳＢ端末装置のハードウエア情報や、セキュリティＩＤを交換する必要がある。実施形態２においては、初期設定としてプロジェクタ１５０と、携帯電話１８０とを有線ケーブルによりＵＳＢ接続し、ハードウエア情報や、セキュリティＩＤなどをあらかじめ相互交換してあるものとして説明する。
以下、説明を簡単にするために、画像システム１００と同一の構成部位については同一の番号を附し、画像システム１００との相違点についてのみ説明する。
【００５９】
プロジェクタ１５０は、ワイヤレスＵＳＢに対応したワイヤレスＵＳＢ端末装置であるＷ通信部９１を備えている。
プロジェクタ１５０は、ワイヤレスＵＳＢにおいて相手側機器を認証するためのパスワードを符号化した２次元コードである接続情報コード２６を含む画像を拡大投射している。
これは、プロジェクタ１５０が起動した後、附属するリモコン（図示せず）に外部の携帯端末装置と接続するための操作がなされたため、符号化手段などを実現するためのコード生成プログラムを含む接続確立Ｑプログラムが実行されたことによる。
接続確立Ｑプログラムを含む接続確立プログラムは、画像表示システム２００におけるプロジェクタ１５０と、携帯電話１８０との接続を確立するためのプログラムであり、プロジェクタ１５０にインストールされる接続確立Ｑプログラムと、携帯電話１８０にインストールされる接続確立Ｎプログラムとから構成されている。
また、パスワードは、接続の都度プロジェクタ１５０にて生成され、セッションごとに新しいパスワードにより認証を行う。
【００６０】
携帯電話１８０は、ネットワーク接続確立手段としてのワイヤレスＵＳＢに対応したワイヤレスＵＳＢ端末装置である携帯Ｗ通信部９２を備えている。
Ｍｂ操作部８８に外部の画像表示装置と接続するための操作がなされると、携帯電話１８０は、コード解析手段などを実現するための接続確立Ｎプログラムを実行する。
これにより、まず、携帯電話１８０の撮像部８４が撮像モードとなる。投射されている接続情報コード２６を視認可能な場所にいる使用者により、接続情報コード２６が撮像されると、撮像された当該２次元コードを解析してパスワードを抽出し、さらに携帯Ｗ通信部９２から当該パスワードを送信することによりプロジェクタ１５０と接続する。
画像表示システム２００によれば、このようにして、ワイヤレスＵＳＢによるプロジェクタ１５０と、携帯電話１８０との接続を確立する。
【００６１】
《プロジェクタおよび携帯電話の概略構成》
図６は、画像表示システムにおけるプロジェクタおよび携帯電話の概略構成図である。ここでは、図６を中心に適宜図２を交えてプロジェクタ１５０および携帯電話１８０の概略構成について説明する。なお、実施形態１の画像表示システム１００と共通の部位については同一の番号を附し、重複する説明を省略する。
【００６２】
プロジェクタ１５０の概略構成について説明する。
記憶部５８には、ワイヤレスＵＳＢによりプロジェクタ１５０と、携帯電話１８０との接続を確立するための接続確立Ｑプログラムが記憶されている。
接続確立Ｑプログラムは、無線通信の際に相手側機種を認証するためのパスワードを生成するパスワード生成手段であるパスワード生成プログラムや、生成されたパスワードを符号化するための符号化手段であるコード生成プログラムなどの複数のサブルーチンを内包している。
パスワード生成プログラムは、例えば、乱数を用いてパスワードを生成する。
コード生成プログラムは、前述した２次元コード、または３次元コードの生成プログラムであり、パスワードを符号化して接続情報コードを生成する。なお、接続情報コードには、パスワード以外の接続情報が含まれていることであっても良い。
また、Ｉ／Ｏブリッジ部５９には、ＵＳＢポートであるＵＳＢポート９０が接続している。ＵＳＢポート９０には、ワイヤレスＵＳＢ端末装置であるＷ通信部９１がセットされている。
【００６３】
続いて、携帯電話１８０の概略構成について説明する。
ＭｂＩ／Ｏブリッジ部８３には、ＵＳＢポートであるＵＳＢポート９３が設けられている。ＵＳＢポート９３には、ワイヤレスＵＳＢ端末装置である携帯Ｗ通信部９２がセットされている。
Mｂ記憶部８７には、ワイヤレスＵＳＢによりプロジェクタ１５０と、携帯電話１８０との接続を確立するための接続確立Ｎプログラムが記憶されている。
接続確立Ｎプログラムは、撮像部８４が撮像した画像に含まれる接続情報コードを解析し、パスワードを抽出するためのコード解析プログラムをサブルーチンとして内包している。コード解析手段としてのコード解析プログラムは、２次元コード、または３次元コードの解析プログラムである。
【００６４】
《接続処理の流れ》
図７は、実施形態２の画像表示システムにおけるプロジェクタと、携帯電話との接続処理の流れの一態様を示すフローチャートである。
図７の左側は、プロジェクタ１５０の動作を示すフローチャート、右側はそれに対応する携帯電話１８０の動作を示すフローチャートである。
ここでは、図５のように会議室に天吊りされているプロジェクタ１５０と、当該会議室に持ち込まれた携帯電話１８０とのワイヤレスＵＳＢによる接続の流れを、図７を中心に、適宜図５、図６を交えて説明する。なお、双方機器間でのハードウエア情報や、セキュリティＩＤなどの交換を含むワイヤレスＵＳＢにおける初期設定はあらかじめ完了しているものとして説明する。
【００６５】
まず、プロジェクタ１５０のフローチャートから説明する。プロジェクタ１５０は、リモコン５４に起動操作がなされたため起動し、初期化動作の後、待機状態となっている。
ステップＳ３１では、制御部５７は、外部の携帯端末装置と接続を始めるための操作を待ち受ける。具体的には、リモコン５４に外部携帯端末装置と接続を開始するための操作がなされたことによる操作受付け部５５からの操作信号を待ち受ける。接続開始操作があった場合には、ステップＳ３２へ進む。接続開始操作がなかった場合には、継続して待ち受ける。
ステップＳ３２では、制御部５７は、記憶部５８の接続確立Ｑプログラムを実行する。具体的には、ます、サブルーチンのパスワード作成プログラムを実行し、パスワードを生成する。
【００６６】
ステップＳ３３では、制御部５７は、コード生成プログラムを実行し接続情報コードを生成する。なお、本実施形態にて生成される接続情報コードは、ＱＲコード（登録商標）である。
ステップＳ３４では、制御部５７は、生成した接続情報コードを含む画像を画像処理部６３などにより生成し、接続待機画面として投射する。この状態が、図５のスクリーンＳＣに示されている。なお、接続情報コード２６は、ＱＲコード（登録商標）を構成する最小の単位である略正方形のセルを、投射画像の解像度を決定する液晶ライトバルブの１ピクセルとしたときの大きさを最小の大きさとし、それ以上の大きさで構成されることであれば良い。
ステップＳ３５では、制御部５７は、携帯電話１８０からの無線による接続を要求するためのパスワードを内包した接続要求コマンドを受信したかどうか確認する。受信した場合は、ステップＳ３６へ進む。受信していない場合は、引き続き接続要求コマンドを待ち受ける。
【００６７】
ステップＳ３６では、制御部５７は、Ｗ通信部９１から接続を許可する接続応答コマンドを携帯電話１８０に送信する。
ステップＳ３７では、制御部５７は、接続が確立した携帯電話１８０からの画像データを受信する。
ステップＳ３８では、制御部５７は、受信した画像データを画像処理部６３などにより投射させる。
ステップＳ３９では、制御部５７は、リモコン５４への接続の切断操作、または、携帯電話１８０からの接続の切断要求があるか確認する。具体的には、操作受付け部５５から当該操作の操作信号、または、Ｉ／Ｏブリッジ部５９を介して送信されてくる切断要求コマンドを確認する。切断操作があった場合には、ワイヤレスＵＳＢによる通信を切断し待機状態に戻る。切断操作がない場合には、ステップＳ３７へ戻る。
【００６８】
続いて、携帯電話１８０のフローチャートについて説明する。
ステップＳ４１では、Ｍｂ制御部８６は、外部のプロジェクタと接続を始めるための操作を待ち受ける。具体的には、Ｍｂ操作受付け部８９から当該操作の操作信号を待ち受ける。接続開始操作があった場合には、ステップＳ４２へ進む。接続開始操作がなかった場合には、継続して待ち受ける。
なお、本実施形態における接続開始操作は、例えば、携帯電話１８０の操作メニューにおける操作階層で表すと、まず、「他機器との接続」メニューを選択し、表示されるＰＣ、プロジェクタ、およびデジタルテレビなどのアイコンの中から、「プロジェクタのアイコン」を選択するという操作を想定している。
この操作により、接続確立Ｎプログラムが実行される。なお、以降の各ステップは、当該プログラムにより実行される。
【００６９】
ステップＳ４２では、Ｍｂ制御部８６は、表示部８１を接続情報コード撮像画面とし、撮像部８４による撮像を促す。接続情報コード撮像画面は、実施形態１における接続情報コード撮像画面（図１の携帯電話８０の表示部８１参照）と同様の画面である。また、撮像距離についても、実施形態１での説明と同様である。
ステップＳ４３では、Ｍｂ制御部８６は、接続情報コードの撮像操作が行われたか確認する。撮像操作があった場合には、ステップＳ４４へ進む。撮像操作がなかった場合には、引き続き撮像操作を待ち受ける。
ステップＳ４４では、Ｍｂ制御部８６は、コード解析プログラムを実行し、撮像画像に含まれる接続情報コードの解析を行う。
【００７０】
ステップＳ４５では、Ｍｂ制御部８６は、接続情報コードの解析により、パスワードが抽出されたか確認する。パスワードが抽出された場合は、ステップＳ４６へ進む。パスワードが抽出されなかった場合は、ステップＳ５１へ進む。
ステップＳ４６では、Ｍｂ制御部８６は、抽出されたパスワードを携帯Ｗ通信部９２に設定する。なお、この段階で、例えば、図５における携帯電話１８０の表示部８１に示される画面のように、「読取り成功」、「接続中…」というような動作経過表示を表示させても良い。これによりユーザーインターフェイスを向上させることができる。
ステップＳ４７では、Ｍｂ制御部８６は、ワイヤレスＵＳＢによる接続を要求するためのパスワードを内包した接続要求コマンドをプロジェクタ１５０に送信する。
ステップＳ４８では、Ｍｂ制御部８６は、プロジェクタ１５０からの接続を許可する接続応答コマンドを受信したかどうか確認する。受信した場合は、ステップＳ４９へ進む。受信していない場合は、引き続き接続応答コマンドを待ち受ける。なお、図５の場合、接続応答コマンドを受信すると、このタイミングでワイヤレスＵＳＢによる接続が確立される。
【００７１】
ステップＳ４９では、Ｍｂ制御部８６は、画像データを携帯Ｗ通信部９２からプロジェクタ１５０に送信する。
ステップＳ５０では、Ｍｂ制御部８６は、Ｍｂ操作部８８への接続の切断操作があったか確認する。切断操作があった場合には、ワイヤレスＵＳＢによる通信を切断し待機状態に戻る。切断操作がない場合には、ステップＳ４９へ戻る。
続いて、ステップＳ４５においてパスワードが抽出されなかった場合について説明する。
ステップＳ５１では、Ｍｂ制御部８６は、表示部８１に一定時間読取りを失敗した旨表示し、ステップＳ４２へ戻る。読取りを失敗した旨の表示は、例えば、「読取り失敗」、「もう一回撮像」など、再度撮像が必要であることを理解させる表示であれば良い。
また、上記各ステップにおいて、リセット操作などのように処理を中断するための操作がなされたときには、プロジェクタ１５０および携帯電話１８０は、それぞれ如何なるタイミングであっても当該操作を受け付ける。
【００７２】
上述した通り、本実施形態によれば以下の効果が得られる。
（１）プロジェクタ１５０は、パスワードを内包した符号である接続情報コード２６を生成して投射表示する。
よって、プロジェクタ１５０と、パスワードを内包した接続情報コード２６とは、常に対となっている。これにより、プロジェクタ１５０と、接続情報（パスワード）とが一致しないことに起因する接続不能の発生を防止することができることから、接続の確度を高めることができる。
また、携帯電話１８０は、撮像部８４により接続情報コードを撮像すると、コード解析プログラムにより接続情報コードを解析してパスワードを抽出する。そして抽出したパスワードを内包した接続要求コマンドを送信し、プロジェクタ１５０にアクセスする。
前述した通り、一般的な携帯電話の構成には、撮像部が含まれていることから、既存の構成部位である当該撮像部によりコード取得手段を実現することができる。よって、携帯電話１８０に特別なハード構成を必要としない。
さらに、プロジェクタ１５０と、携帯電話１８０とが離れていても、撮像部８４が接続情報コードを撮像可能なエリア内であれば、その場で移動することなく接続を確立することができることから、使い勝手が良い。
従って、確実に接続できるとともに、使い勝手が良くシンプルな構成の画像表示システム２００を提供することができる。
【００７３】
（２）Ｗ通信部９１および携帯Ｗ通信部９２は、ワイヤレスＵＳＢ規格に対応したワイヤレスＵＳＢ端末装置であることから、ワイヤレスＵＳＢ規格に準拠した高速な無線接続を実現することができる。
また、ワイヤレスＵＳＢのシステム環境は、プロジェクタ１５０および携帯電話１８０に標準的に備わっているＵＳＢポートに、それぞれワイヤレスＵＳＢ端末装置をセットすることにより簡便に実現することができる。
従って、シンプルな構成により、高速な無線通信を実現することができる画像表示システム２００を提供することができる。
【００７４】
（３）プロジェクタ１５０は、無線通信を開始する都度、乱数によるランダムなパスワードを新たに生成することから、画像表示システム２００における無線通信のセキュリティを高めることができる。
従って、優れたセキュリティ性を有する画像表示システム２００を提供することができる。
【００７５】
（４）接続情報コードは、パスワードを符号化した２次元コード、または３次元コードであることから、接続情報コードがプロジェクタ１５０により投射表示されても、人間が判読することはできない。
よって、例えば、会議に同席した第３者にパスワードを知られてしまうというような、情報の漏洩を防止することができる。
従って、パスワードの漏洩を防止することができる画像表示システム２００を提供することができる。
【００７６】
（５）符号化手段は、プロジェクタ１５０が実行する２次元コード、または３次元コードを生成するためのコード生成プログラムおよび当該プログラムを内包した接続確立Ｑプログラムにより実現されることから、プロジェクタ１５０は、２次元コード、または３次元コード生成のための専用のハードウエア構成を必要としない。
また、同様に、符号解析手段は、携帯電話１８０が実行する２次元コード、または３次元コードを解析するためのコード解析プログラムおよび当該プログラムを内包した接続確立Ｎプログラムにより実現されることから、携帯電話１８０は、２次元コード、または３次元コード生成のための専用のハードウエア構成を必要としない。
従って、シンプルな構成の画像表示システム２００を提供することができる。
【００７７】
（６）プロジェクタ１５０が投射する画像は、拡大されているため視認性が高いことから、携帯電話１８０が離れた場所に位置していたとしても、投射画像の中の接続情報コード２６を撮像可能な距離であれば、支障なく撮像することができる。
よって、画像表示システム２００は、使い勝手が良い。
従って、使い勝手が良い画像表示システム２００を提供することができる。
【００７８】
なお、本発明は上述した実施形態に限定されず、上述した実施形態に種々の変更や改良などを加えることが可能である。変形例を以下に述べる。
【００７９】
（変形例１）
図３を用いて説明する。前記実施形態１において、外部のプロジェクタと接続を始めるための操作は、携帯電話８０の「他機器との接続」操作メニューからの階層メニューを選択して行くものであったが、この操作に限定するものではない。
例えば、携帯電話に標準搭載されているバーコード読取りプログラムを起動させる操作であっても良い。具体的には、携帯電話８０の操作メニューから「バーコード読取り」を選択し実行する。これにより携帯電話８０の表示部８１には、ステップＳ１２の接続情報コード撮像画面が表示され、接続情報コードを撮像可能な状態となる。
なお、この構成の場合、バーコード読取りプログラムは、抽出された２次元、または３次元コードが接続情報コードであった場合、当該コードを識別した時点で接続確立Ｍプログラムを起動するためのサブルーチンを含んでいる。また、上記操作は、前記実施形態２における画像表示システム２００の携帯電話１８０においても同様に適用することができる。よって、使い勝手の良い画像表示システム１００，２００を提供することができる。
【００８０】
（変形例２）
図７を用いて説明する。前記実施形態２においてプロジェクタ１５０が生成するパスワードは、接続が開始される都度（１セッションごと）生成されるものとして説明したが、これに限定するものではない。
例えば、さらに以下のステップを含むことであっても良い。
プロジェクタ１５０が接続開始後一定時間ごとに新たなパスワードを生成し、再度接続応答コマンドに内包させて送信するステップと、
携帯電話１８０が当該接続応答コマンドから新たなパスワードを読出し、再度接続要求コマンドを送信するステップと、
プロジェクタ１５０が当該接続要求コマンドのパスワードを認証し、再度接続応答コマンドを送信するステップ。これにより、１セッション内においても一定時間ごとにパスワードの更新が行われる。
この構成によれば、ワイヤレスＵＳＢによる無線通信のセキュリティを更に高めることができる。
【００８１】
（変形例３）
図２を用いて説明する。前記各実施形態において、画像表示装置は、液晶３板式プロジェクタであるものとして説明したが、この構成に限定するものではない。
例えば、画像表示装置は、光変調装置として赤、緑、青色のカラーフィルタが規則的に格子状に配置され、１枚でフルカラーの変調光を射出することが可能な単板の液晶ライトバルブを備えたプロジェクタであっても良い。また、光変調装置として反射型液晶表示装置や、ティルトミラーデバイスを用いたプロジェクタであっても良い。
また、投写式のプロジェクタに限定するものではなく、例えば、光変調装置を含む光学系と、透過式スクリーンとを１つの個体内に備えたリアプロジェクタであっても良いし、デジタルテレビであっても良い。
デジタルテレビは、表示手段としてブラウン管、液晶パネル、プラズマディスプレイ、ＳＥＤ（Surface-conduction Electron-emitter Display）、有機ＥＬ（Electro Luminescence）ディスプレイなどを備えたものであれば良い。
これらの構成であっても、前記各実施形態と同様な作用効果を得ることができる。
【００８２】
（変形例４）
前記実施形態１では所定のネットワークを無線ＬＡＮ、前記実施形態２では所定のネットワークをワイヤレスＵＳＢとして説明したが、所定のネットワークは、無線ネットワーク環境を構築可能な技術であれば良い。例えば、所定のネットワークは、Ｂｌｕｅｔｏｏｔｈ（登録商標）環境であっても良い。
この構成であっても、前記各実施形態と同様な作用効果を得ることができる。
【図面の簡単な説明】
【００８３】
【図１】実施形態１における画像表示システムの概略構成図。
【図２】画像表示システムにおけるプロジェクタおよび携帯電話の概略構成図。
【図３】プロジェクタと、携帯電話との接続処理の流れの一態様を示す流れ図。
【図４】異なる接続態様の無線ＬＡＮ環境下における画像表示システムの概略構成図。
【図５】実施形態２における画像表示システムの概略構成図。
【図６】画像表示システムにおけるプロジェクタおよび携帯電話の概略構成図。
【図７】プロジェクタと、携帯電話との接続処理の流れの一態様を示す流れ図。
【符号の説明】
【００８４】
２５，２６…接続情報コード、５０，１５０…画像表示装置としてのプロジェクタ、５３…投射手段としての投射レンズ、５８…記憶手段としての記憶部、６１…通信部、７０…アクセスポイントとしてのルータ、７２…ＬＡＮ、８０，１８０…携帯端末装置としての携帯電話、８４…コード取得手段としての撮像部、８５…ネットワーク接続確立手段としてのＭｂ通信部、９１…Ｗ通信部、９２…ネットワーク接続確立手段としての携帯Ｗ通信部、１００，２００…画像表示システム。
【図１】
2007312179.tif 000003
【図２】
2007312179.tif 000004
【図３】
2007312179.tif 000005
【図４】
2007312179.tif 000006
【図５】
2007312179.tif 000007
【図６】
2007312179.tif 000008
【図７】
2007312179.tif 000009